(57)【要約】      （修正有）【課題】ポケットティッシュ等の小袋類を整然と収容し、必要に際しては容易に取り出し可能な小袋収容供給器を提供する。【解決手段】前面、背面、左右側面および底面を構成する板１、３、７、１４、１６で、筒状容器１を構成する。上部は投入口１５で開口している。前面と底面の板２、１６は、小袋を取り出すための上下の隙間が設けられている。前面板２の下端と底面板１６の前端には、小袋を掴むための切欠き６、１７が設けられている。左側面には、小袋を収納する、または収納されている小袋を整頓するための整理口８およびその蓋９が設けられている。【選択図】図１
2017074948.tif 000002
【特許請求の範囲】
【請求項１】
小袋を積み重ねて収容するための、前面板、背面板、右側面板、左側面板および底面板で囲まれた筒状容器であって、
上記筒状容器の上部は小袋の投入口として開口しており、左右両側面板の下部に底面板が固定され、
前面板の下端と底面板の前端の間に、小袋を引出すための上下の隙間が設けられ、
前面板の下端と底面板の前端に、最下位の小袋を掴む指を通す切欠きが設けられたことを特徴とする小袋収容供給器。
【請求項２】
収容されている小袋の重なり状態を整え、または小袋を挿入するための整理口を、前記左右側面板の片方または両方に設けたことを特徴とする請求項1に記載の小袋収容供給器。
【発明の詳細な説明】
【技術分野】
【０００１】
本発明は、数枚のティッシュペーパーを折り畳み収容した小袋、所謂ポケットティッシュおよび類似の形状寸法の種々の小袋について、整然と収容し、簡単に取り出して利用する（供給する）ことができる小袋収容供給器に関する。
【背景技術】
【０００２】
前記小袋は、数枚のティッシュペーパー、ウエットティッシュ、ローションティッシュ等を折り畳み収納した小さな袋である。これらは、外出時にポケットやカバンに入れて携行することを前提としている。ポケットティッシュと言われる小袋は特に、販売促進用として無料で配布されることが多く、無料であるがために放置され無駄になり勝である。
【０００３】
従来、小袋を破りティッシュペーパーを取り出して使用することを目的とする特許がある（例えば、特許文献１参照。）。小袋から出して使うのであれば、携行する目的で小袋に入れた意味が生かされず無駄をしていることになる。
【０００４】
本発明は、ポケットティッシュのような小袋になっているもの、ウエットティッシュ、ローションティッシュ、一部の生理用品などを整然と収容し、必要な時に簡単に引き出して利用できる容器についてである。なお、類似の小袋であれは、内容物を限定しない。さらに、小袋に変えて小箱でもよい。
【先行技術文献】
【特許文献】
【０００５】
【特許文献１】特開２０００−６２８６７号公報
【発明の概要】
【発明が解決しようとする課題】
【０００６】
販売を促進するために無料で配布されるものに限らず、購入したものを含め、ポケットティッシュ等の小袋と類似の小袋類を整理して収容し、使用に際しては取り出し易い小袋収容供給器を提供する。
【０００７】
特許文献1では、ポケットティッシュをケースに収納してはいるが、ケースの上部から小袋の中のティッシュペーパーを一枚ずつ取り出して利用するようにしている。
小袋は飽くまでも携行しての使用が使命である。本発明では小袋のままの状態で収容し取出すことを目的としている。
【課題を解決するための手段】
【０００８】
本発明は上記課題を解決するため、以下の手段を採っている。先ず、請求項１に記載のように、
小袋を積み重ねて収容するための、前面板、背面板、右側面板、左側面板および底面板で囲まれた筒状容器であって、
上記筒状容器の上部は小袋の投入口として開口しており、左右両側面板の下部に底面板が固定され、
前面板の下端と底面板の前端の間に、小袋を引出すための上下の隙間が設けられ、
前面板の下端と底面板の前端に、最下位の小袋を掴む指を通す切欠きが設けられたことを特徴とする小袋収容供給器。
【０００９】
次に、請求項２に記載のように、
収容されている小袋の重なり状態を整え、または小袋を挿入するための整理口を、前記左右側面板の片方または両方に設けたことを特徴とする請求項1に記載の小袋収容供給器。
【発明の効果】
【００１０】
前述のように、本発明はポケットティッシュ等の多数の小袋を整理して収容し、外出時などに引き出して携行する小袋収容供給器である。小袋は無料で配られたものであっても、紛失を防ぎ必要な時に有効に利用するべきである。整頓ができ、便利で無駄が無く経済的である。
【図面の簡単な説明】
【００１１】
【図１】本発明の小袋収容供給器の実施形態の斜視図
【図２】同器の外表面展開図
【図３】同器の右側面板を書棚等の外左側面に固定した使用例
【図４】同器の左側面板を書棚等の外右側面に固定した使用例
【発明を実施するための最良の形態】
【００１２】
以下、本発明の実施の形態を図１〜図４に基づいて述べる。
【００１３】
図１は本発明の小袋収容供給器の実施例の斜視図である。
小袋とは、主に、ティッシュペーパー数枚を折り畳み収容したポケットティッシュと言われる小さな袋のことを言う。ティッシュペーパー以外にも、ウエットティッシュとかローションティッシュ等もある。また、一部の生理用品など、大きさと形状が類似している小袋や、小箱でも同様に扱う事ができ、総じて小袋と言う。
【００１４】
図1に示す様に、本発明の小袋収容供給器1は、前面板２、左側面板７、右側面板１４および背面板3で矩形の筒状に形成され、上部は小袋１８（１８ａは引出し途中の小袋。図３参照）を収める投入口１５として開口している。下部では、底面板16が左右側面板7、14に固定されている。
【００１５】
投入口１５の大きさは、収容する小袋のサイズに応じ、容易に投入できる寸法である。広く使用されているポケットティッシュの小袋の寸法は、約８５×１１５mmであり、同ミニサイズでは約６５×９５mm、正方形に近いものでは約１０５×１２０ｍｍである。その他数種類のサイズのものがある。
【００１６】
小袋収容供給器１の下部には取出し口５が設けられる。前面板２の下端と底面板１６の前端とは接合されないで、小袋が通過できる寸法の上下方向の隙間が設けられ、この隙間が取出し口5となる。上記隙間は、小袋１８（図３）の厚さより大きい。
【００１７】
前面板２の下端の中央部には切欠き６、底面板１６の前端の中央部には切欠き１７が設けられている。これは、小袋を指で掴み易く引出し易くするためである。
【００１８】
図1のように、左側面板７には、大きく開口した整理口８を設けている。
収容されている小袋１８（図３）が少ない場合、投入口１５から入れた（落とし入れた）小袋１８が底面板１６の上に整然と積み重なることは期待し難い。そのため、整理口８を開いて収容された小袋１８を整然と積み重ねる。または、整理口８から直接、小袋１８を挿入しても良い。
整理口８には、ヒンジ１３（図２、図４参照）で開閉可能とした整理口蓋９が設けられている。なお、図１と図３には、ヒンジ１３は示されていない。
整理口蓋９は、閉じたときに左側面板7の内面と面一になるように、左側面板7と同じ厚さの板材を用い、周囲寸法は整理口８より少し小さくしてある。整理口蓋９の外側には蓋カバー１０が固定されている。蓋カバー１０の上下および開口側、またはどちらか片方の寸法は、蓋9の寸法より大きくしている。整理口蓋９が閉じた状態を保持するため、蓋カバー１０には鉄片１２、左側面板７には磁石１１が固定されている。他の留め具でも可能である。
【００１９】
前面板２には、小袋の収容状態を確認するための確認窓４が、一か所または複数か所設けられている。
【００２０】
実施例の小袋収容供給器1は、自立する設計ではなく、書棚等２１(図２１参照)に固定する。書棚等２１は、書棚、食器棚、たん笥、下駄箱などの確りとした家具を想定しているが、柱でもよい。
図３、４の固定方法について述べる前に、図２の展開図について述べる。
【００２１】
図２は、小袋収容供給器を構成する前面板２、背面板３、左側面板７、右側面板１４および底面板１６について、各板の外表面を示した展開図である。各板の板厚は、この図では考慮していない。
【００２２】
左側面板７には整理口蓋９、蓋カバー１０、磁石１１と鉄片１２でなる留め具、ヒンジ１３が示されている。
右側面板１４および背面板３にある、それぞれ２か所の小穴は、小袋収容供給器1を書棚等２１（図３、４参照）に固定する為のねじ穴１９である。前面板２および左側面板７にあるそれぞれ２か所の小穴は、取付けねじを回すドライバー穴２０である。
【００２３】
ここに示す背面板３は、前面板２と同じ形状寸法であり確認窓４も設けられている。これは、書棚等２１の外右側面のみならず、外左側面への取り付けをも可能とするためである。予め書棚等２１へ取付ける面が決まっていると、前面、背面の両方の取出し口は無用であるが、一般性を持たせている。強いて言えば、前面、背面の両方の取出し口は、小袋を後ろから押し出すことがでるという機能がある。
【００２４】
図３、４の取付け方法について述べる。
図３の取り付け例では、小袋収容供給器1の右側面板１４を書棚等２１の外左側面に取り付けている。即ち、小袋収容供給器1の右側面板１４に吊り下げアングル２２を固定し、書棚等２１の天板２４に掛けて吊り下げ、小袋収容供給器1の自重を支えている。小袋収容供給器1の下方は、両面に粘着性のあるスペーサー２３（両面粘着テープ）で固定する。吊り下げアングル２２を使わず、スペーサー２３のみの取付けでは、自重に耐えての長期間の使用は困難である。
【００２５】
吊り下げアングル２２を用いる取り付け方法は、ねじを使っての取付けは、書棚等２１に傷が付くとして嫌う場合の方法である。
ねじでの取り付けが可能ならば、ねじ穴１９を利用して取り付ける。
【００２６】
更に、書棚等２１の内部の棚の側面に粘着テープで固定するとか、本の間に挟み込む等状況に応じて対処すると良い。この場合、小袋収容供給器1の自重は上記棚が受け持つ。
【００２７】
背面板３を取り付けて使用する場合も、前記左側面板７の固定と同様、ねじまたは吊り下げアングル２２を用いると良い。
【００２８】
図４は、書棚等２１の外右側面に、小袋収容供給器1の左側面板１４を取りつけている。これは、小袋収容供給器1と吊り下げアングル２２を図3のままにし、前後を逆にして、図４のように取り付けており、前面板２が後ろに、背面板３が前面になっている。図２で述べたように、取出し口５を前面にも後面にも設けるのは、この様な取付のためである。
【００２９】
図４において、整理口蓋９の開き方が図３の場合と異なる（後ろ側が開く）。このことで支障が生じる場合には、ヒンジ１３を左右付け替えるか、整理口８の上端または下端にヒンジを設け上下に開閉させると良い。
【符号の説明】
【００３０】
１    小袋収容供給器
２    前面板
３    背面板
４    確認窓
５    取出し口
６    前面板下端の切欠き
７    左側面板
８    整理口
９    整理口蓋
１０    蓋カバー
１１    磁石
１２    鉄片
１３    ヒンジ
１４    右側面板
１５    投入口
１６    底面板
１７    底面板前端の切欠き
１８    ポケットティッシュ等の小袋
１８a   引出し途中の小袋
１９    ねじ穴
２０    ドライバー穴
２１    書棚等  （書棚、食器棚、たん笥、下駄箱など）
２２    吊り下げアングル
２３    両面粘着スペーサー（両面粘着テープ）
２４    書棚等の天板
【図１】
2017074948.tif 000003
【図２】
2017074948.tif 000004
【図３】
2017074948.tif 000005
【図４】
2017074948.tif 000006